(57)【特許請求の範囲】
【請求項１】
操作ボタンを備えた操作ボタン側筺体と、この操作ボタン側筺体に枢支され表示部を備えた表示部側筺体とからなり、前記操作ボタン側筺体に前記表示部側筺体を展開または折り畳み自在とした折り畳み式携帯電話機において、前記表示部側筺体の幅の一部を前記操作ボタン側筺体の幅よりも大きく形成したことを特徴とする折り畳み式携帯電話機。
【請求項２】
請求項１記載の折り畳み式携帯電話機において、前記表示部側筺体の両側部の幅の一部を前記操作ボタン側筺体の両側部から突出するように形成したことを特徴とする折り畳み式携帯電話機。
【発明の詳細な説明】
【０００１】
【発明の属する技術分野】
本発明は、操作ボタンを備えた操作ボタン側筺体と、表示部を備えた表示部側筺体とからなり、操作ボタン側筺体に対して表示部側筺体を展開または折り畳み自在とした折り畳み式携帯電話機に関する。
【０００２】
【従来の技術】
この種の折り畳み式携帯電話機は、通話時には受話部と送話部とを耳と口とにそれぞれ対応させるために、操作ボタン側筺体から表示部側筺体を展開させ、一方、移動時等には、操作ボタン側筺体に対して表示部側筺体を折り畳むようにしている。このように、折り畳み式携帯電話機は、折り畳むことによって他の携帯電話に比べて小型化されるので携帯性に優れているといった反面、通話するには操作ボタン側筺体に対して表示部側筺体を展開させてからでないとできないため、操作性が悪いといった欠点を有していた。
【０００３】
図５は従来の折り畳み式携帯電話機を示し、同図（ａ）は正面図、同図（ｂ）は折り畳んだ状態を示す正面図である。これらの図において、符号２０で示すものは、折り畳み式携帯電話機であって、この折り畳み式携帯電話機２０は、ダイヤルや機能ボタン等の操作ボタン４が設けられた操作ボタン側筺体２と、液晶によって表示される表示部７を備えた表示部側筺体３とによって構成されている。５は操作ボタン側筐体２の下端部に設けられた送話部、８は表示部側筐体３の上端部に設けられた受話部、９はアンテナである。
【０００４】
表示部側筐体３は、ヒンジ１０を介して操作ボタン側筐体２に枢支されており、操作ボタン側筐体２に対して展開および折り畳み自在になっている。したがって、通話時には、同図（ａ）に示すように、表示部側筐体３を操作ボタン側筐体２に対して展開して使用し、移動時には、同図（ｂ）に示すように、操作ボタン側筐体２に対して表示部側筐体３を折り畳んで持ち運んでいた。
【０００５】
【発明が解決しようとする課題】
しかしながら、上述した従来の折り畳み式携帯電話機２０においては、図５（ｂ）に示すように、操作ボタン側筐体２に対して表示部側筐体３が折り畳まれた状態では、表示部側筐体３の操作ボタン側筐体２との突き合わせ部に指等が掛けられる突起等を特別に設けていない。したがって、着信時、操作ボタン側筐体２に折り畳まれた表示部側筐体３を展開しようとするときに、同図（ｃ）に示すように、右手１２Ａで操作ボタン側筐体２を把持し、左手１２Ｂで表示部側筐体３を把持して行っていた。このように、表示部側筐体３を展開するのに常に両手を必要とするから操作性が悪く、このため、着信時、呼び出し音が鳴動してから通話を開始するまでに時間がかかるといった問題があった。また、一方の手がふさがっているときには、着信に対する通話動作だけでなく、発信することすら困難となり、使い勝手が低下するという問題もあった。
【０００６】
本発明は上記した従来の問題に鑑みなされたものであり、その目的とするところは、使い勝手を向上させた折り畳み式携帯電話機を提供することにある。
【０００７】
【課題を解決するための手段】
この目的を達成するために、請求項１に係る発明は、操作ボタンを備えた操作ボタン側筺体と、この操作ボタン側筺体に枢支され表示部を備えた表示部側筺体とからなり、前記操作ボタン側筺体に前記表示部側筺体を展開または折り畳み自在とした折り畳み式携帯電話機において、前記表示部側筺体の幅の一部を前記操作ボタン側筺体の幅よりも大きく形成したものである。
したがって、表示部側筺体の一部を指で掛けることにより、表示部側筺体を操作ボタン側筺体に対して展開することができる。
【０００８】
また、請求項２に係る発明は、請求項１に係る発明において、前記表示部側筺体の両側部の幅の一部を前記操作ボタン側筺体の両側部から突出するように形成したものである。
したがって、左右のどちらの手で操作ボタン側筺体を把持しても、指を表示部側筺体の一部に容易に掛けることができる。
【００１１】
【発明の実施の形態】
以下、本発明の実施の形態を図を用いて説明する。図１は本発明に係る折り畳み式携帯電話機を示し、同図（ａ）は表示部側筺体を展開して示す正面図、同図（ｂ）は表示部側筺体を折り畳んだ状態を示す底面図である。図２は同じく使用状態を示すもので、同図（ａ）は表示部側筺体を開き始めた状態を示し、同図（ｂ）は表示部側筺体を展開した状態を示す。これらの図において、上述した図５に示す従来技術において説明した同一または同等の部材については、同一の符号を付し詳細な説明は適宜省略する。
【００１２】
図１に示すように、本発明の特徴とするところは、表示部側筺体３の幅Ｂ１を操作ボタン側筺体２の幅Ｂよりも大きく形成し、同図（ｂ）に示すように、表示部側筺体３の両側部に、操作ボタン側筺体２の両側部から突出する突出部３ａ，３ｂを設けた点にある。
【００１３】
このように構成することにより、図２に示すように、着信時、利用者が利き手である右手１２で操作ボタン側筺体２を把持した場合、同図（ａ）に示すように、右手１２Ａの中指を表示部側筺体３の一方の突出部３ａに掛け、この突出部３ａを押し上げることにより、表示部側筺体３を操作ボタン側筺体２から開く。さらに、同図（ｂ）に示すように、右手１２Ａの親指で表示部側筺体３を開くことにより展開することができる。このように、着信時、操作ボタン側筺体３を把持した手と同じ手の指で表示部側筺体３を展開することができることにより、片手で展開することができるので操作性が向上する。このため、呼び出し音が鳴動してから通話を開始するまでの時間が短縮できるというだけでなく、着信時および発信時に、一方の手がふさがっているときにも、着信時の通話動作および発信動作が可能となるので、使い勝手が向上する。
【００１４】
しかも、突出部３ａ，３ｂが操作ボタン側筺体２の両側部から突出していることにより、中指と表示部側筺体３を挟んで反対側の親指を他方の突出部３ｂに掛けることができる。また、仮に、利用者の利き手が左で、着信時、左手で操作ボタン側筺体２を把持したとしても、右手と同様に左手の中指で表示部側筺体３を開くことができるので、使い勝手が向上する。
【００１５】
また、本発明の別の特徴とするところは、表示部側筺体３の幅Ｂ１を操作ボタン側筺体２の幅Ｂよりも大きく形成したことにより、図１（ａ）に示すように、表示部７の幅Ｂも大きくすることができ、操作ボタン側筺体２の幅Ｂと同一に形成した点にある。これは、表示部側筺体３においては、上端部に受話部８が設けられ、この受話部８に対応して図示を省略したスピーカが設けられていることから、表示部７の高さＴを大きくすることに自ずと限界があるといった携帯電話機特有の課題に起因するものである。すなわち、表示部７の幅Ｂを大きくすることにより、表示部７の表面積も大きく形成することができるので、表示部７に表示される情報量が増大するだけでなく、表示される文字を大きくすることができるから、利用者へのサービスの向上を図ることができる。
【００１６】
図３は本発明の第２の実施の形態を示し、同図（ａ）は表示部側筺体を展開して示す正面図、同図（ｂ）は表示部側筺体を折り畳んだ状態を示す底面図である。
この第２の実施の形態では、同図（ｂ）に示すように、操作ボタン側筺体２の側部から突出する突出部３ｂが、表示部側筺体３の一方の側部のみに設けられている点が、上述した第１の実施の形態と異なる点である。このように構成することによっても、着信時および発信時に、この突出部３ｂに操作ボタン側筺体２を把持した手の指を掛けることができるから、片手で着信および発信動作を行うことができる。
【００１７】
図４は本発明の第３の実施の形態を示し、同図（ａ）は表示部側筺体を展開して示す正面図、同図（ｂ）は表示部側筺体を折り畳んだ状態を示す底面図である。
この第３の実施の形態では、操作ボタン側筺体２の両側部に一対の凹部２ａ，２ａが設けられている点に特徴を有する。こうすることにより、同図（ｂ）に示すように、表示部側筺体３を折り畳むと、表示部側筺体３の凹部２ａに対応した部位に、指を掛けることができるので、片手で表示部側筺体３を展開することができる。なお、操作ボタン側筺体２の両側部に凹部２ａ，２ａが設けることなく、表示部側筺体３の両側部の一部に指が掛けられる突起を設けてもよい。
【００１８】
【発明の効果】
以上説明したように、請求項１に係る発明によれば、着信時および発信時に操作ボタン側筺体を把持した手と同じ手の指で表示部側筺体を展開することができるので、着信時および発進時における操作を片手で行うことができ、操作性が向上する。したがって、着信時、呼び出し音が鳴動してから表示部側筐体を展開して通話を開始するまでの時間が短縮できるだけでなく、一方の手がふさがっているときにも、着信、発信が可能となるので、使い勝手が向上する。
【００１９】
また、請求項２に係る発明によれば、どちらの手で操作ボタン側筺体を把持しても容易に表示部側筺体を展開することができるので、使い勝手が向上する。
【図面の簡単な説明】
【図１】  本発明に係る折り畳み式携帯電話機を示し、同図（ａ）は表示部側筺体を展開して示す正面図、同図（ｂ）は表示部側筺体を折り畳んだ状態を示す底面図である。
【図２】  本発明に係る折り畳み式携帯電話機の使用状態を示すもので、同図（ａ）は表示部側筺体を開き始めた状態を示し、同図（ｂ）は表示部側筺体を展開した状態を示す。
【図３】  本発明の第２の実施の形態を示し、同図（ａ）は表示部側筺体を展開して示す正面図、同図（ｂ）は表示部側筺体を折り畳んだ状態を示す底面図である。
【図４】本発明の第３の実施の形態を示し、同図（ａ）は表示部側筺体を展開して示す正面図、同図（ｂ）は表示部側筺体を折り畳んだ状態を示す底面図である。
【図５】  従来の折り畳み式携帯電話機を示し、同図（ａ）は正面図、同図（ｂ）は折り畳んだ状態を示す正面図、同図（ｃ）は表示部側筺体を展開する状態を示す斜視図である。
【符号の説明】
１…折り畳み式携帯電話機、２…操作ボタン側筺体、２ａ…凹部、３…表示部側筺体、３ａ，３ｂ…突出部、４…操作ボタン、７…表示部、８…受話部、１０…ヒンジ、１２Ａ…右手、１２Ｂ…左手。
【図１】
0003652972.tif 000002
【図２】
0003652972.tif 000003
【図３】
0003652972.tif 000004
【図４】
0003652972.tif 000005
【図５】
0003652972.tif 000006